(57)【特許請求の範囲】
【請求項１】
表示データメモリ上に格納された静止画像データを表示装置に表示するオンスクリーンディスプレイ装置において、
特定情報が合成されていない背景画像データを格納する第１表示データメモリと、
前記背景画像データに特定情報を合成した合成画像データを格納する２つ以上の第２表示データメモリと、
前記第１表示データメモリから出力される背景画像データと、前記２つ以上の第２表示データメモリから出力される合成画像データと、のうちから１つのデータを適宜選択して前記表示装置に転送する転送手段とを備え、
前記第２表示データメモリごとに異なる合成画像データが格納されることを特徴とするオンスクリーンディスプレイ装置。
【請求項２】
前記第１表示データメモリから出力される前記背景画像データを、前記第２表示データメモリへの入力データとすることを特徴とする請求項１に記載のオンスクリーンディスプレイ装置。
【請求項３】
表示データメモリ上に格納された静止画像データを表示装置に表示するオンスクリーンディスプレイ装置において、
前記表示データメモリは、
特定情報が合成されていない背景画像データを格納する第１表示データ領域と、
前記背景画像データに特定情報を合成した合成画像データを格納する２つ以上の第２表示データ領域と、
前記第１表示データ領域から出力される背景画像データと、前記２つ以上の第２表示データ領域から出力される合成画像データと、のうちから１つのデータを適宜選択して前記表示装置に転送する転送手段とを備え、
前記第２表示データ領域ごとに異なる合成画像データが格納されることを特徴とするオンスクリーンディスプレイ装置。
【発明の詳細な説明】
【０００１】
【発明の属する技術分野】
本発明は、静止画像上に特定情報を同時に表示するオンスクリーンディスプレイ装置に関するものであり、特に、静止画像上への特定情報の表示・非表示の切り替え、及びＯＳＤの表示内容や表示位置の変更を高速、且つ低消費電力で実現することを目的とするオンスクリーンディスプレイ装置に関するものである。
【０００２】
【従来の技術】
オンスクリーンディスプレイ（以下、従来の技術の説明において、ＯＳＤと略記する）装置におけるＯＳＤ機能とは、背景となる静止画像に複数の特定情報画像を重ね合わせて合成して表示する機能である。例えば、デジタルスチルカメラ、デジタルビデオカメラ、テレビ等の静止画像の表示機能を有する各種ディスプレイ装置において、ホワイトバランスのような画像表示に関する各種パラメータ設定値の表示をする場合や、デジタルスチルカメラやデジタルビデオカメラ等において、表示画像番号、撮影日時、画像タイトルやメッセージ等の表示、また、テレビにおいてはチャネルやボリューム等の文字や図形等で表現されたさまざまな特定情報が表示される。
【０００３】
図６には、第１従来技術として、デジタルスチルカメラに搭載されているＯＳＤ機能を行うＯＳＤ装置１００を示す。背景画像とすべき原画像データは、背景画像作成手段１１０によりダイナミックランダムアクセスメモリ（以下、ＤＲＡＭと略記する）等の画像メモリ１０１上の背景画像領域１０２に格納されている。デジタルスチルカメラにおいては、背景画像作成手段１１０として、光学系及びＣＣＤ等の画像処理系により撮影された画像データを原画像データとして格納する。ここで格納された原画像データはＪＰＥＧ方式等でメディアに圧縮格納されていたデータを伸長して画像メモリ１０１に格納されたデータである。従って、この原画像データを液晶モニタあるいは家庭用テレビ等の表示装置上に静止画像として表示するためには、それらの表示装置の解像度に合わせた解像度の変換、及び色空間の変換を行う必要がある。この変換はデータ変換手段１０５により行われ、変換されたデータは、画像メモリ１０１上の表示用背景画像領域１０４に格納される。
【０００４】
一方、ＯＳＤデータ作成手段１０３においては、図示しない文字・図形等の選択部により選択される文字列や図形列、及びそれらのディスプレイ上での配置位置の情報に基づいて、内蔵あるいは外部設定される文字・図形フォントを配置してＯＳＤデータを作成しておく。
【０００５】
表示に際しては、ビデオエンコーダ１０８からの水平／垂直同期信号に基づき、タイミング回路１０７からのタイミング信号に同期して、画像メモリ１０１からの表示用画像データと、ＯＳＤデータ作成手段１０３にて作成された文字列・図形列情報とがセレクタ１０６に入力される。セレクタ１０６では、ＯＳＤデータ作成手段１０３からの文字・図形位置情報であるＯＳＤデータ表示指示信号を受けたタイミング回路１０７からのタイミング信号に従い、ＯＳＤデータ位置の画素に対してはＯＳＤデータ作成手段１０３からのデータを選択してビデオエンコーダ１０８に出力する。このようにして、表示装置１０９に背景画像に文字・図形等の特定情報が合成されて出力される。
【０００６】
図７に示す第２従来技術のＯＳＤ装置２００では、先ず、画像メモリの背景画像領域２０１にあるデータをデータ変換手段２０３によりデータ変換する。変換されたデータは、セレクタ２０７により選択されて表示データメモリ２０４に格納される。次に、セレクタ２０７によりＯＳＤデータ領域２０２からのＯＳＤデータが選択されて、表示データメモリ２０４上の表示位置に該当するアドレスに上書きする。第２従来技術では、予めＯＳＤデータを合成した合成画像データを作成するので、第１従来技術におけるＯＳＤデータ作成手段１０３の場合のような回路の応答速度に起因するＯＳＤデータの表示内容の制約はなく、任意の画像データを任意の位置に配置するＯＳＤ装置２００である。
【０００７】
尚、上記の第１及び第２従来技術においては、デジタルスチルカメラに使用されるＯＳＤ装置１００、２００を例に説明したが、ビデオやテレビ等においても、背景画像となる原画像データは動画データであることから、このデータを静止画用のデータにする場合、解像度等のデータ変換の処理をする必要がある。従って、ビデオやテレビ等の静止画像におけるＯＳＤ機能についても、ＯＳＤ装置１００、２００と同様な構成である。
【０００８】
【発明が解決しようとする課題】
しかしながら、第１従来技術では、タイミング回路１０７により、背景画像データとＯＳＤデータとを各画素毎にリアルタイムで切り替えることが要求されるため、回路のタイミング設計が難しいという問題がある。また、高速なデータ切り替えに伴う回路動作により消費電力の低減が図れないという問題がある。
【０００９】
また、第２従来技術では、ＯＳＤデータの表示内容の変更や表示位置の移動の他、ＯＳＤデータの表示・非表示の切り替えだけでも、表示データメモリ２０４の内容を全て書き換える必要がある。即ち、背景画像データを再格納した上で必要なＯＳＤデータを所定の表示位置に上書きする必要がある。この場合、背景画像データについては、画像メモリの背景画像領域２０１からの原画像データの読み出し、及び読み出された原画像データのデータ変換手段２０３によるデータ変換を行った上で、表示用データメモリ２０４に再格納する必要がある。ＯＳＤデータの表示内容の変更、表示位置の移動、表示・非表示の切り替えの度に、上記の処理時間を要し問題であると共に、上記処理動作を実行するための回路動作による電力消費が発生し問題である。電力消費に関しては、デジタルスチルカメラ等のバッテリー駆動用携帯機器に対しては、連続使用時間を圧迫する要因となるため特に問題である。
【００１０】
本発明は前記従来技術の問題点を解消するためになされたものであり、静止画像上に特定情報を同時に表示するＯＳＤ装置において、静止画像上への特定情報の書き換え、移動、表示・非表示の切り替えを高速、且つ低消費電力で実現することが可能なＯＳＤ装置を提供することを目的とする。
【００１１】
【課題を解決するための手段】
前記目的を達成するために、請求項１に係るオンスクリーンディスプレイ装置は、表示データメモリ上に格納された静止画像データを表示装置に表示するオンスクリーンディスプレイ装置において、特定情報が合成されていない背景画像データを格納する第１表示データメモリと、背景画像データに特定情報を合成した合成画像データを格納する２つ以上の第２表示データメモリと、第１表示データメモリから出力される背景画像データと、２つ以上の第２表示データメモリから出力される合成画像データと、のうちから１つのデータを適宜選択して表示装置に転送する転送手段とを備え、第２表示データメモリごとに異なる合成画像データが格納されることを特徴とする。
【００１２】
請求項１のオンスクリーンディスプレイ装置では、背景画像データは第１表示データメモリに格納されており、背景画像データに特定情報を合成した合成画像データは第２表示データメモリに格納されている。第２表示データメモリは２つ以上備えられ、第２表示データメモリごとに異なる合成画像データが格納される。表示装置には、転送手段により、第１表示データメモリから出力される背景画像データと、２つ以上の第２表示データメモリから出力される合成画像データと、のうちから１つのデータを適宜選択して出力される。
【００１３】
これにより、背景画像データのみが格納されている第１表示データメモリと、背景画像データに特定情報が合成された合成画像データが格納されている第２表示データメモリとを個別に備えているので、表示装置に表示する際、第１あるいは第２表示データメモリの何れかを選択することのみで、特定情報の表示・非表示を切り替えることができる。特定情報の表示・非表示の切り換え毎に、背景画像の原画像データからデータ変換をして背景画像データを再生成する等の処理をする必要がなく、表示・非表示の切り替えを迅速に、且つ低消費電力で行うことができる。
【００１６】
また、特定情報毎に背景画像データと合成した合成画像データを個別に備えることができるので、特定情報の表示・非表示の切り換えの他、特定情報の表示内容の変更においても、第１表示データメモリ、あるいは各第２表示データメモリのうちの何れか１つを選択することのみで、切り替えを行うことができる。特定情報の表示・非表示の切り換え、更に表示内容の変更毎に、背景画像の原画像データからデータ変換をして背景画像データを再生成する等の処理をする必要がなく、表示・非表示の切り替えを迅速に、且つ低消費電力で行うことができる。
【００１７】
また、請求項２に係るオンスクリーンディスプレイ装置は、請求項１に記載のオンスクリーンディスプレイ装置において、第１表示データメモリから出力される背景画像データを、第２表示データメモリへの入力データとすることを特徴とする。
【００１８】
これにより、特定情報の表示内容の変更や表示位置の変更のために第２表示データメモリの内容を書き換える際に、第１表示データメモリから第２表示データメモリへ背景画像データを転送することができる。従って、特定情報の表示内容の変更や表示位置の変更ごとに、背景画像の原画像データからデータ変換をして背景画像データの再生成を行う必要がなく、表示内容／表示位置の変更を迅速に、且つ低消費電力で行うことができる。
【００１９】
また、第１表示データメモリ、及び第２表示データメモリは、同期型半導体記憶装置であることが好ましい。これにより、第１及び第２表示データメモリの動作条件を一致させてやれば、背景画像データの転送を効率よく行うことができ、表示内容／表示位置の変更の高速処理に寄与するところ大である。
【００２０】
また、請求項３に係るオンスクリーンディスプレイ装置は、表示データメモリ上に格納された静止画像データを表示装置に表示するオンスクリーンディスプレイ装置において、表示データメモリは、特定情報が合成されていない背景画像データを格納する第１表示データ領域と、背景画像データに特定情報を合成した合成画像データを格納する２つ以上の第２表示データ領域と、第１表示データ領域から出力される背景画像データと、２つ以上の第２表示データ領域から出力される合成画像データと、のうちから１つのデータを適宜選択して表示装置に転送する転送手段とを備え、第２表示データ領域ごとに異なる合成画像データが格納されることを特徴とする。
【００２１】
請求項３に係るオンスクリーンディスプレイ装置では、表示データメモリにおいて、背景画像データは第１表示データ領域に格納されており、背景画像データに特定情報を合成した合成画像データは第２表示データ領域に格納されている。第２表示データ領域は２つ以上備えられ、第２表示データ領域ごとに異なる合成画像データが格納される。表示装置には、転送手段により、第１表示データ領域から出力される背景画像データと、２つ以上の第２表示データ領域から出力される合成画像データと、のうちから１つのデータを適宜選択して出力される。
【００２２】
これにより、表示データメモリを、第１表示データ領域と第２表示データ領域との２つの領域に分けて、第１表示データ領域には背景画像データのみを格納し、第２表示データ領域には背景画像データに特定情報が合成された合成画像データを格納するようにしたので、表示装置に表示する際、第１あるいは第２表示データ領域のうちの何れかの領域を選択することのみで、特定情報の表示・非表示を切り替えることができる。また、このときの選択は、表示データメモリにおける最上位アドレスを切り替えることにより簡単に行うことができる。特定情報の表示・非表示の際に、背景画像の原画像データからデータ変換をして背景画像データの再生成を行う必要がなく、表示・非表示の切り替えを迅速に、且つ低消費電力で行うことができる。
【００２５】
また、特定情報毎に背景画像データと合成した合成画像データを表示データメモリ上の第２表示データ領域毎に備えることができるので、特定情報の表示・非表示の切り換えの他、特定情報の表示内容の変更においても、第１表示データ領域、あるいは各第２表示データ領域のうちの何れか１つを選択することのみで、切り替えを行うことができる。特定情報の表示・非表示の切り換え、更に表示内容の変更毎に、背景画像の原画像データからデータ変換をして背景画像データを再生成する等の処理をする必要がなく、表示・非表示の切り替えを迅速に、且つ低消費電力で行うことができる。
【００２６】
また、第１表示データ領域から出力される背景画像データを、第２表示データ領域への入力データとすることが好ましい。これにより、第１表示データ領域を選択して背景画像データを格納した後に、第１表示データ領域から第２表示データ領域へデータを転送することで第２表示データ領域にも背景画像データを格納することができる。第１表示データ領域に格納されるデータが背景画像の原画像データからデータ変換をした背景画像データである場合、第２表示データ領域への背景画像データの格納には、このデータ変換処理は必要とされず、処理の高速化、あるいは消費電力の低減を図ることができ好都合である。
【００２７】
また、特定情報の表示内容の変更や表示位置の変更のために表示データメモリの内容を書き換える際には、第１表示データ領域から第２表示データ領域へ、背景画像データを転送することができ、背景画像の原画像データからデータ変換をして背景画像データの再生成を行う必要がなく、表示内容／表示位置の変更を迅速に、且つ低消費電力で行うことができる。
【００２８】
【発明の実施の形態】
以下、本発明のオンスクリーンディスプレイ（以下、発明の実施の形態の説明において、ＯＳＤと略記する）装置について具体化した第１及び第２実施形態を図１乃至図５に基づき図面を参照しつつ詳細に説明する。図１は、第１実施形態のオンスクリーンディスプレイ装置を示す機能ブロック図である。図２は、第１実施形態のオンスクリーンディスプレイ装置を示す回路ブロック図である。図３は、第１実施形態において、表示データメモリをＳＤＲＡＭで構成した場合の動作タイミングチャート例である。図４は、第２実施形態のオンスクリーンディスプレイ装置を示す機能ブロック図である。図５は、第２実施形態のオンスクリーンディスプレイ装置を示す回路ブロック図である。図６は、第１従来技術のオンスクリーンディスプレイ装置を示す機能ブロック図である。図７は、第２従来技術のオンスクリーンディスプレイ装置を示す機能ブロック図である。
【００２９】
図１に示す第１実施形態のＯＳＤ装置の機能ブロック１では、図７に示す第２従来技術のＯＳＤ装置２００における表示データメモリ２０４に代えて、背景画像データのみを格納する表示データメモリ１（１２）と、背景画像データにＯＳＤデータを合成した合成画像データを格納する表示データメモリ２（１３）との２つの表示データメモリ１、２（１２、１３）を備えている。表示データメモリ１、２（１２、１３）からの表示画像データはセレクタ１６に入力されており、セレクタ１６はＯＳＤデータ表示・非表示の切り替え信号で制御されている。また、第２従来技術のセレクタ２０７に代えて、セレクタ１（１４）及びセレクタ２（１５）の２つのセレクタを備えている。セレクタ１（１４）は、データ変換された背景画像データが入力されており、メモリ選択信号で制御されて表示データメモリ１（１２）又はセレクタ２（１５）のいずれかが選択されて背景画像データが出力されている。セレクタ２（１５）は、セレクタ１（１４）からの背景画像データとＯＳＤデータ領域２０２からのＯＳＤデータが入力されており、背景データ／ＯＳＤデータ選択信号で制御されて何れかが選択されて表示データメモリ２（１３）に出力されている。その他の構成については、第２従来技術のＯＳＤ装置２００と同様である。同一の構成要素については、同一の番号を付しここでの説明は省略する。
【００３０】
第１実施形態のＯＳＤ装置の機能ブロック図１では、２つの表示データメモリ１、２（１２、１３）を備えており、各々、背景画像データのみ、及び背景画像データにＯＳＤデータを合成した合成画像データが個別に格納されている。そして、これらの表示データメモリ１、２（１２、１３）をセレクタ１６で選択することにより、表示装置２０６へのＯＳＤデータの表示・非表示を切り替えている。表示データメモリ１、２（１２、１３）へのデータの格納は、セレクタ１（１４）及びセレクタ２（１５）により制御されている。先ず、メモリ選択信号により表示データメモリ１、２（１２、１３）が共に選択されてデータ書き込み状態になると共に、セレクタ１（１４）が制御されて、データ変換手段２０３で変換された背景画像データが、表示データメモリ１、２（１２、１３）に転送されて格納される（データパス：Ａ）。これにより、表示データメモリ１（１２）には、ＯＳＤデータが非表示の場合にアクセスされる背景画像データのみが格納される。また、表示データメモリ２（１３）には、ＯＳＤデータが合成されるベースとなる背景画像データが格納される。背景画像データの格納が完了した後、メモリ選択信号により表示データメモリ２（１３）のみが選択されてデータ書き込み状態となると共に、セレクタ１（１４）は非活性となり背景画像データの転送は遮断される。更に、背景データ／ＯＳＤデータ選択信号によりセレクタ２（１５）においてＯＳＤデータ領域２０２からのＯＳＤデータが選択されて、表示メモリ２（１３）における該当アドレスに転送されて、先に格納済みの背景画像データにＯＳＤデータが合成される。
【００３１】
また、ＯＳＤデータの表示内容の変更や表示位置の移動の場合、表示データメモリ２（１３）の内容は更新される必要がある。そこで、ＯＳＤデータの背景となる背景画像データを再度格納することとなる。このときは、既に表示データメモリ１（１２）に格納されている背景画像データを表示データメモリ２（１３）に転送するようにしてやれば（データパス：Ｂ）、原画像データをデータ変換手段２０３により再データ変換する必要なく、表示データメモリ２（１３）に背景画像データを格納することができる。この後に、ＯＳＤデータ領域２０２からＯＳＤデータを転送して背景画像データと、表示内容や表示位置が変更されたＯＳＤデータとが合成された合成画像データが表示データメモリ２（１３）に格納されることとなる。
【００３２】
図２では、ＯＳＤ装置の機能ブロック図１を回路ブロックに具体化した場合の回路ブロック図１０を示している。データバスを備えており、表示データメモリ１、２（１２、１３）、ＯＳＤデータ領域２０２、データ変換手段２０３、及びビデオエンコーダ２０５間のデータの転送は、データバスを介して行われる。また、表示データメモリ１、２（１２、１３）を制御するための表示データメモリ制御部１１を備えている。
【００３３】
表示データメモリ制御部１１には、制御信号Ｃ１乃至Ｃ６が入力されている。制御信号Ｃ３と制御信号Ｃ４は、アンドゲート２１及び２２に入力されており、アンドゲート２１について制御信号Ｃ４は負論理の信号として入力されている。制御信号Ｃ２は、アンドゲート２１の出力信号と共にノアゲート２３に入力されている。また、制御信号Ｃ５と制御信号Ｃ６は、アンドゲート２２の出力信号と共にノアゲート２４に入力されている。更に、制御信号Ｃ１は負論理の信号として、ノアゲート２３の出力信号と共にアンドゲート２５に入力され、ノアゲート２４の出力信号と共にアンドゲート２６に入力されている。アンドゲート２５、２６の出力信号ＸＣＳ１、ＸＣＳ２は、各々、表示データメモリ１（１２）、２（１３）のチップ選択端子ＸＣＳ１、ＸＣＳ２に入力されている。そして、表示画像データは、データ変換手段２０３から出力されてデータ変換された背景画像データと、ＯＳＤデータ領域２０２から出力されるＯＳＤデータとが、セレクタ２７に入力されており、セレクタ２７からのデータ出力がデータバスに接続されている。
【００３４】
図２の回路ブロック１０では、図１の機能ブロック１で表された機能ブロックについて、表示データメモリ１（１２）及び表示データメモリ２（１３）を介して転送される画像データをデータバスを中心に構成した上で、セレクタ１（１４）、セレクタ２（１５）、及びセレクタ１６を表示データメモリ制御部１１として具体化したものである。
【００３５】
以下、表示データメモリ制御部１１における各種制御を、入力される制御信号Ｃ１乃至Ｃ６に基づいて説明する。制御信号Ｃ１は、メモリ１／メモリ２同時選択信号である。背景画像データのみが格納される表示データメモリ１（１２）と、ＯＳＤデータが合成された合成画像データが格納される表示データメモリ２（１３）との双方を同時に選択する際の選択信号である。ハイレベル信号が入力されると、アンドゲート２５及び２６の出力信号ＸＣＳ１、ＸＣＳ２は、他の入力信号の信号レベルにかかわらずローレベルとなる。この信号が表示データメモリ１（１２）、２（１３）のチップ選択端子ＸＣＳ１、ＸＣＳ２に入力されるが、この端子はローアクティブの端子であるため、表示データメモリ１（１２）、２（１３）は共に選択されることとなる。この選択状態において、セレクタ２７への制御信号である背景データ／ＯＳＤデータ選択信号により、データ変換手段２０３からの背景画像データを選択してやれば、データバス上に背景画像データが転送されるので、図示しない書き込み指示信号を両メモリ１、２（１２、１３）に入力することにより、同時に同一の背景画像データを書き込むことができる。この場合のデータ転送のパスを図２中のＡとして示す。
【００３６】
両メモリに背景画像データが格納された後に、表示データメモリ２（１３）に、ＯＳＤデータを合成する。この場合は、表示データメモリ２（１３）のみを書き込み状態にしておき、表示データメモリ１（１２）への書き込みは禁止する必要がある。そこで、制御信号Ｃ１をローレベルに遷移すると共に、制御信号Ｃ２乃至Ｃ４、Ｃ６についてローレベルを維持しながら、制御信号Ｃ５であるＯＳＤデータ書き込み指示信号をハイレベルに遷移する。その結果、ノアゲート２４の出力信号がローレベルに反転し、アンドゲート２６の出力信号ＸＣＳ２がローレベルに反転する。一方、制御信号Ｃ３がローレベルであることよりアンドゲート２１の入力信号はローレベルを維持しており、制御信号Ｃ２がローレベルであることと合わせてノアゲート２３の出力信号はハイレベルとなっている。制御信号Ｃ１がローレベルであるのでアンドゲート２５の出力信号ＸＣＳ１はハイレベルを維持している。従って、表示データメモリ１（１２）はチップ選択されないまま、表示データメモリ２（１３）のみがチップ選択されることとなる。このとき、セレクタ２７への制御信号である背景データ／ＯＳＤデータ選択信号により、ＯＳＤデータ領域２０２からのＯＳＤデータを選択してやれば、データバス上にＯＳＤデータが転送されるので、図示しない書き込み指示信号を表示データメモリ２（１３）に入力することにより、既に書き込まれている背景画像データにＯＳＤデータを上書きすることができる。尚、制御信号Ｃ５のハイレベル遷移は、図示しない制御回路により、ＯＳＤデータ領域２０２に格納されているＯＳＤデータの表示位置に対応する表示データメモリ２（１３）上のアドレスに対してのみ行う。これにより、背景画像データを残しながら、所定位置にＯＳＤデータを上書きすることができる。
【００３７】
以上の動作により、表示データメモリ１（１２）には、背景画像データのみが格納され、表示データメモリ２（１３）には、背景画像データにＯＳＤデータが上書きされた合成画像データが格納される。これらのメモリ１、２（１２、１３）を適宜選択することにより、画像データにおけるＯＳＤデータの表示・非表示を切り替えることができる。
【００３８】
先ず、ＯＳＤデータを表示する場合を説明する。制御信号Ｃ３である画像表示指示信号と、制御信号Ｃ４であるＯＳＤデータ表示指示信号とを共にハイレベルに設定する。アンドゲート２１では、制御信号Ｃ４の負論理信号に対して活性化するので、アンドゲート２１の出力信号はローレベルとなり、他の制御信号Ｃ１、Ｃ２がローレベルであることよりノアゲート２３の出力信号はハイレベルとなり、アンドゲート２５の出力信号ＸＣＳ１はハイレベルとなる。従って、表示データメモリ１（１２）は非選択となる。これに対して、アンドゲート２２の出力信号はハイレベルとなり、ノアゲート２４の出力信号はローレベルとなり、アンドゲート２６の出力信号ＸＣＳ２はローレベルとなる。従って、表示データメモリ２（１３）は選択状態となる。このとき、セレクタ２７を非選択としながら表示データメモリ２（１３）を読み出し状態にすると、ＯＳＤデータが合成された合成画像データが読み出され、データバスを介してビデオエンコーダ２０５に出力される。従って、表示装置２０６には、背景画像にＯＳＤデータが上書きされた画像が出力されることとなる。
【００３９】
次に、ＯＳＤデータを非表示とする場合について説明する。制御信号Ｃ３である画像表示指示信号をハイレベルにすると共に、制御信号Ｃ４であるＯＳＤデータ表示指示信号をローレベルに設定する。アンドゲート２１では、制御信号Ｃ４の負論理信号に対して活性化するので、アンドゲート２１の出力信号はハイレベルとなり、ノアゲート２３の出力信号はローレベルとなる。アンドゲート２５の出力信号ＸＣＳ１もローレベルとなって、表示データメモリ１（１２）は選択状態となる。これに対して、アンドゲート２２の出力信号はローレベルとなる。他の制御信号Ｃ５、Ｃ６がローレベルであることよりノアゲート２４の出力信号はハイレベルとなり、制御信号Ｃ１がローレベルであることと合わせアンドゲート２６の出力信号ＸＣＳ２はハイレベルとなる。従って、表示データメモリ２（１３）は非選択となる。このとき、セレクタ２７を非選択としながら表示データメモリ１（１２）を読み出し状態にすると、背景画像データが読み出され、データバスを介してビデオエンコーダ２０５に出力される。従って、表示装置２０６には、背景画像のみが出力されることとなる。
【００４０】
制御信号Ｃ３をハイレベルとした状態で、制御信号Ｃ４の論理レベルを制御することにより、表示装置２０６に表示される画像へのＯＳＤデータの表示・非表示を制御することができる。
【００４１】
更に、ＯＳＤデータの表示内容の変更や表示位置の移動について説明する。表示データメモリ２（１３）に格納されているＯＳＤデータが合成された合成画像データは、ＯＳＤデータの表示内容が変更、あるいは表示位置が移動することとなるので更新する必要がある。そこで、再度、背景画像データを格納し、更に所定位置に所定のＯＳＤデータを上書きする処理が必要となる。
【００４２】
先ず、背景画像データの格納について説明する。背景画像データについては、既に、データ変換手段２０３においてサイズ変換及び色変換を施したデータが、表示データメモリ１（１２）に格納されているので、この背景画像データを転送する。制御信号Ｃ１、Ｃ３乃至Ｃ５をローレベルに維持しながら、制御信号Ｃ２、Ｃ６をハイレベルに遷移する。ノアゲート２３、２４の出力信号は共にローレベルとなり、これらのローレベル信号が入力されるアンドゲート２５、２６の出力信号ＸＣＳ１、ＸＣＳ２は共にローレベルとなる。従って、表示データメモリ１（１２）、表示データメモリ２（１３）は共に選択状態となる。この状態で、セレクタ２７を非選択としながら表示データメモリ１（１２）を読み出し状態にし、表示データメモリ２（１３）を書き込み状態とする。表示データメモリ１（１２）から背景画像データがデータバス上に読み出され、この背景画像データが表示データメモリ２（１３）に書き込まれることとなる。こうして表示データメモリ２（１３）に背景画像データが転送されることとなる。この場合のデータ転送のパスを図２中のＢとして示す。
【００４３】
ここで、上記に示した背景画像データの転送動作においては、表示データメモリ１（１２）、及び表示データメモリ２（１３）をシンクロナスＤＲＡＭ（以下、ＳＤＲＡＭと略記する）により構成することが好ましい。表示データメモリ１（１２）をバーストリード動作させながら、表示データメモリ２（１３）をバーストライト動作させることにより、連続的に画像データの転送動作を行うことができるからである。図３にバースト動作のタイミングチャートを示す。図３は、ＳＤＲＡＭとしてＣＡＳレイテンシが２、バースト長が４の場合について例示している。信号ＣＬＫはＳＤＲＡＭの動作クロック信号である。信号ＸＣＳ１、ＸＣＳ２は各々表示データメモリ１（１２）、表示データメモリ２（１３）のチップ選択信号であり、ローアクティブの信号である。信号ＸＲＡＳはロウ（Ｒｏｗ）アドレスの選択信号であり、信号ＸＣＡＳはコラム（Ｃｏｌｕｍｎ）アドレスの選択信号であり、信号ＸＷＥは書き込み許可信号であり、何れもローアクティブの信号である。また、信号ＡＤＲＳはアドレス信号であり、信号ＤＡＴＡはデータ信号である。チップ選択信号ＸＣＳ１、ＸＣＳ２以外の信号ＣＬＫ、ＸＲＡＳ、ＸＣＡＳ、ＸＷＥ、ＡＤＲＳ、ＤＡＴＡは、表示データメモリ１（１２）と表示データメモリ２（１３）とに共通の信号である。
【００４４】
クロック信号ＣＬＫの立上りエッジ▲１▼のタイミングにおいて、チップ選択信号ＸＣＳ１及びロウアドレス選択信号ＸＲＡＳを共にローレベルとすることにより、表示データメモリ１（１２）がアドレス信号ＡＤＲＳをロウアドレスとして取り込む。即ち、表示データメモリ１（１２）に対してアクティブコマンドを与える。この例では、２サイクル後のエッジ▲３▼において、チップ選択信号ＸＣＳ１及びコラムアドレス選択信号ＸＣＡＳを共にローレベルとしながら、書き込み許可信号ＸＷＥはハイレベルを維持して、表示データメモリ１（１２）にリードコマンドを与える。表示データメモリ１（１２）は、ＣＡＳレイテンシが２であるので、この２サイクル後のエッジ▲４▼からバースト長で指定された４サイクルの間、連続的にデータを取り込むことが可能なように出力する。いわゆる、バーストリード動作である。
【００４５】
表示データメモリ２（１３）については、表示データメモリ１（１２）の読み出し動作に同期するようにバーストライト動作を行わせる。先ず、表示データメモリ１（１２）のアクティブコマンド（エッジ▲１▼）から１サイクル遅れたエッジ▲２▼のタイミングにおいて、チップ選択信号ＸＣＳ２及びロウアドレス選択信号ＸＲＡＳを共にローレベルとして、アドレス信号ＡＤＲＳをロウアドレスとして取り込む。即ち、表示データメモリ２（１３）に対してアクティブコマンドを与える。その後のライトコマンドは、表示データメモリ１（１２）からのデータの読み出しサイクルに合わせて与える。即ち、エッジ▲４▼において、チップ選択信号ＸＣＳ２及びコラムアドレス選択信号ＸＣＡＳを共にローレベルとし、同時に書き込み許可信号ＸＷＥをローレベルとして、表示データメモリ２（１３）にはライトコマンドを与える。従って、表示データメモリ１（１２）からのバーストリードのタイミングと表示データメモリ２（１３）へのバーストライトのタイミングとが一致し、データの転送をダイレクトに行うことができ、中間にバッファ領域等を設定する必要がない。ＣＡＳレイテンシが２、バースト長が４の場合には、データの転送は８サイクルで終了し、その後に２サイクルのプリチャージのためのサイクルを追加して、１０クロックサイクルで４ビットのメモリバス幅のデータ転送を完了することができる。尚、コラムアドレスの指定をバースト長毎にそれぞれのメモリに対して行い、プリチャージを先延ばしにしても良い。こうすることにより、効率の良い転送が行える。
【００４６】
表示データメモリ２（１３）への背景画像データの転送が完了した後に、ＯＳＤデータを上書きする。前述したように、制御信号Ｃ１乃至Ｃ４、Ｃ６をローレベルに維持しながら、制御信号Ｃ５をハイレベルに遷移することによりアンドゲート２６の出力信号ＸＣＳ２をローレベルにして、表示データメモリ２（１３）を選択する。この状態で、セレクタ２７への制御信号である背景データ／ＯＳＤデータ選択信号により、ＯＳＤデータ領域２０２からのＯＳＤデータを選択してやれば、データバス上にＯＳＤデータが転送されるので、図示しない書き込み指示信号を表示データメモリ２（１３）に入力することにより、既に書き込まれている背景画像データにＯＳＤデータを上書きすることができる。尚、制御信号Ｃ５のハイレベル遷移は、図示しない制御回路により、ＯＳＤデータ領域２０２に格納されているＯＳＤデータの表示位置に対応する表示データメモリ２（１３）上のアドレスに対してのみ行う。これにより、背景画像データを残しながら、所定位置にＯＳＤデータを上書きすることができる。
【００４７】
第１実施形態のＯＳＤ装置（機能ブロック１、回路ブロック１０）によれば、背景画像データのみが格納されている表示データメモリ２（１３）と、背景画像データにＯＳＤデータが合成された合成画像データが格納されている表示データメモリ２（１３）とを個別に備えているので、表示装置２０６に表示する際、何れかのメモリ１、２（１２、１３）を選択することのみで、ＯＳＤデータの表示・非表示を切り替えることができる。この時、制御信号Ｃ１（メモリ１／メモリ２同時選択信号）をハイレベルとすることにより、アンドゲート２５及び２６から出力される出力信号ＸＣＳ１、ＸＣＳ２が共にローレベルとなり、表示データメモリ１（１２）、表示データメモリ２（１３）を共に選択して同時に背景画像データを格納することができるので、短時間に効率的に背景画像データの格納を行うことができる。ＯＳＤデータの表示・非表示の際に、原画像データである背景画像に対してサイズ変換や色変換等のデータ変換を行い、表示用のビデオデータを再生成する必要はない。ＯＳＤデータの表示・非表示の切り替えごとに大容量の原画像データを処理する必要がなく、表示・非表示の切り替えを迅速に、且つ低消費電力で行うことができる。
【００４８】
また、ＯＳＤデータの表示内容の変更や表示位置の移動のために表示データメモリ２（１３）の内容を書き換える際には、表示データメモリ１（１２）から表示データメモリ２（１３）へ、背景画像データを転送することができ、原画像データである背景画像に対してサイズ変換や色変換等のデータ変換を行い、表示用のビデオデータを再生成する必要はない。ＯＳＤデータの表示内容の変更や表示位置の移動ごとに、大容量の原画像データを処理する必要がなく、内容／位置の変更を迅速に、且つ低消費電力で行うことができる。
【００４９】
表示データメモリ１（１２）、表示データメモリ２（１３）をＳＤＲＡＭ等の同期型半導体記憶装置で構成してやり、両メモリ１、２（１２、１３）の動作条件を一致させてやれば、背景画像データの転送を効率よく行うことができ、内容／位置の変更の高速処理に寄与するところ大である。
【００５０】
図４に示す第２実施形態のＯＳＤ装置の機能ブロック２では、図７に示す第２従来技術のＯＳＤ装置２００における表示データメモリ２０４に代えて、表示データメモリ２２を備えている。表示データメモリ２２は、表示データ格納領域を、背景画像データのみを格納する第１の領域２３と、背景画像データにＯＳＤデータを合成した合成画像データを格納する第２の領域２４との２つの領域に分割されている。そして、この２つの領域２３、２４のうち何れの領域からのデータを読み出すかを選択するためのメモリ領域指定制御部２５を備えており、表示データメモリ２２に対して最上位（ＭＳＢ）アドレスを出力している。更に、第２従来技術のセレクタ２０７に代えて、表示データメモリ制御部２１を備えている。表示データメモリ制御部２１は、データ変換手段２０３によりデータ変換された背景画像データと、ＯＳＤデータ領域２０２からのＯＳＤデータとが入力されており、何れかのデータが選択されて出力されている。その他の構成については、第２従来技術のＯＳＤ装置２００と同様である。同一の構成要素については、同一の番号を付しここでの説明は省略する。
【００５１】
第２実施形態のＯＳＤ装置の回路ブロック２０は、図４の機能ブロック２における表示データメモリ制御部２１内の構成を回路ブロックとして表し、表示データメモリ２２との間の構成を具体化したものである。図５に示すように表示データメモリ制御部２１には、２つの領域２３、２４を有する表示データメモリ２２を備えている。データを格納すべき領域２３、２４の選定は、表示データメモリ制御部２１におけるセレクタ３３により制御されている。即ち、表示データメモリの領域１／領域２の切り替え信号によりセレクタ３３が制御されて、領域１の上位アドレス格納部３１、あるいは領域２の上位アドレス格納部３２の何れかの上位アドレスを選択して、表示データメモリ２２の上位アドレスとして出力する。下位のアドレスについては、下位アドレス生成部３４から生成されるアドレスが表示データメモリ２２の下位アドレスとして出力される。
【００５２】
また、背景画像データ及びＯＳＤデータは、データバスを介して、表示データメモリ制御部２１と表示データメモリ２２との間でデータの転送が行われる。表示データメモリ制御部２１内には、表示データメモリ２２の第１の領域２３から第２の領域２４への背景画像データの転送の際のバッファとして利用されるデータラッチ部３５、データ変換手段２０３によりデータ変換された背景画像データとＯＳＤデータ領域２０２０からのＯＳＤデータとの選択を行うセレクタ３６、更に、データバスからビデオエンコーダ２０５へデータを転送するパスが備えられている。
【００５３】
図４に示す第２実施形態のＯＳＤ装置２（及び図５における回路ブロック２０）において、表示データメモリ２２にデータを格納するに際しては、先ず、第１の領域２３と第２の領域２４とに背景画像データを格納する必要がある。この場合には、表示データメモリ２２を図示しないチップ選択信号により選択した上で、下位アドレス発生部３４より下位アドレスを発生しながら、セレクタ３３の選択により上位アドレスを順次切り替えて第１及び第２の領域２３、２４を選択する。具体的には、表示データメモリの領域１／領域２の切り換え信号によりセレクタ３３を制御して、下位アドレス発生部３４からの下位アドレスが一巡したタイミングで、表示データメモリ２２へ供給する上位アドレスを、第１の領域２３を指定する領域１の上位アドレス格納部３１からのアドレスから、第２の領域２４を指定する領域２の上位アドレス格納部３２からのアドレスに切り替えて、再度下位アドレス発生部３４から下位アドレスを出力することにより行う。このように選択された各アドレスに応じて、セレクタ３６で選択されている背景画像データをデータバスに転送する。この時、図示しない書き込み指示信号を表示データメモリ２２に入力しておけば、第１及び第２の領域２３、２４に順次、同一の背景画像データを書き込むことができる。この場合のデータ転送のパスを図５中のＡとして示す。
【００５４】
第１及び第２の領域２３、２４に背景画像データが格納された後に、第２の領域２４にＯＳＤデータを合成する。この場合は、セレクタ３３により上位アドレスを領域２の上位アドレス格納部３２からのアドレスに固定しながら、下位アドレス発生部３４から下位アドレスを出力する。このときの下位アドレスの出力は、ＯＳＤデータ領域２０２からのＯＳＤデータに基づき図示しない制御信号により、合成すべきＯＳＤデータの表示位置に対応するアドレスを選択的に発生することにより制御する。この下位アドレスに応じて、セレクタ３６でＯＳＤデータ領域２０２からのＯＳＤデータをデータバスに転送する。この時、図示しない書き込み指示信号を表示データメモリ２２に入力しておけば、第２の領域２４に、ＯＳＤデータを上書きすることができる。
【００５５】
以上の動作により、表示データメモリ２２の第１の領域２３には、背景画像データのみが格納され、第２の領域２４には、背景画像データにＯＳＤデータが上書きされた合成画像データが格納される。これらの領域２３、２４をメモリ領域指定制御部２５により適宜選択することにより、画像データにおけるＯＳＤデータの表示・非表示を切り替えることができる。
【００５６】
ＯＳＤデータを表示させたい場合には、表示データメモリ２２のチップ選択状態において、メモリ領域指定制御部２５から出力される最上位（ＭＳＢ）アドレスを、表示データメモリ２２の第２の領域２４を選択するように設定する。この時、セレクタ３６を非選択としながら表示データメモリ２２を読み出し状態とすると、ＯＳＤデータが合成された合成画像データが読み出され、データバスを介してビデオエンコーダ２０５に出力される。従って、表示装置２０６には、背景画像にＯＳＤデータが上書きされた画像が出力されることとなる。
【００５７】
ＯＳＤデータを非表示としたい場合には、表示データメモリ２２のチップ選択状態において、メモリ領域指定制御部２５から出力される最上位（ＭＳＢ）アドレスを、表示データメモリ２２の第１の領域２３を選択するように設定する。この時、セレクタ３６を非選択としながら表示データメモリ２２を読み出し状態とすると、背景画像データのみが読み出され、データバスを介してビデオエンコーダ２０５に出力される。従って、表示装置２０６には、背景画像のみが出力されることとなる。
【００５８】
メモリ領域指定制御部２５から出力される最上位（ＭＳＢ）アドレスを適宜に切り替えることにより、表示装置２０６に表示される画像へのＯＳＤデータの表示・非表示を制御することができる。
【００５９】
尚、第２実施形態では、表示装置２０６へのＯＳＤデータの表示・非表示の切り替えの際、メモリ領域指定制御部２５から出力される最上位（ＭＳＢ）アドレスの切り換えによる場合を説明したが、これに限定されるものではなく、表示データメモリ制御部２１におけるセレクタ３３を制御して表示データメモリ２２の上位アドレスを選択するようにしても同様のデータ選択が可能であることは言うまでもない。
【００６０】
ＯＳＤデータの表示内容の変更や表示位置の移動に際しては、ＯＳＤデータの転送に先立ち第２の領域２４への背景画像データの格納を、データラッチ部３５をデータバッファとして第１の領域２３からの背景画像データの転送により行う。表示データメモリ２２をチップ選択状態に維持しながら、セレクタ３３により第１の領域２３を選択する上位アドレスを出力しながら、データラッチ部３５の格納できる所定容量分のデータを下位アドレスを順次変更しながら読み出す。データラッチ部３５は、データバス上に読み出されたデータを順次格納していく。そして、所定容量のデータが格納された時点で、セレクタ３３により上位アドレスを第２の領域２４を選択するように変更する。下位アドレスを戻し、第１の領域２３から読み出したアドレスに合わせて再度変更しながら、データラッチ部３５からアドレスに対応してデータを出力する。これにより、第１の領域２３における下位アドレスと同一アドレスの第２の領域２４に、同一のデータが格納されデータの転送が行われる。この場合のデータ転送のパスを図５中のＢとして示す。
【００６１】
尚、ここに示した第１の領域２３から第２の領域２４への背景画像データの転送は、ＯＳＤデータの表示内容の変更や配置位置の移動の場合にとどまらず、背景画像データをデータ変換手段２０３から読み出してくる場合にも適用できるものである。即ち、先の説明では、データ変換手段２０３からの背景画像データを、第１及び第２の領域２３、２４に格納する際、セレクタ３３により上位アドレスを順次選択することにより、データ変換手段２０３からの背景画像データを２つの領域２３、２４に２度格納する場合を示した。この場合、２つの領域２３、２４に２度にわたりデータ格納を行うこととなる。従って、データ変換手段２０３は、２度のデータ格納が完了するまで背景画像データの内容を保持しておかなければならないこととなる。そこで、第１の領域２３から第２の領域２４へのデータ転送を行う設定としてやれば、第１の領域２３へのデータ格納が終了した時点で、データ変換手段２０３を開放することができて好都合である。データ変換手段２０３は次の処理を行うことができ高速処理を行うことができる。次の処理を行うことがなくとも、データ変換手段２０３における回路動作を休止することができるので、消費電力の低減を図ることができる。
【００６２】
第２実施形態のＯＳＤ装置２（及び図５における回路ブロック２０）によれば、表示データメモリ２２を２つの領域２３、２４に分けて、第１の領域２３には背景画像データのみを格納し、第２の領域２４には背景画像データにＯＳＤデータが合成された合成画像データを格納するようにしたので、表示装置２０６に表示する際、何れかの領域２３、２４を選択することのみで、ＯＳＤデータの表示・非表示を切り替えることができる。また、このときの選択は、メモリ領域指定制御部２５により最上位（ＭＳＢ）アドレスを切り替えることにより簡単に行うことができる。ＯＳＤデータの表示・非表示の際に、原画像データである背景画像に対してサイズ変換や色変換等のデータ変換を行い、表示用のビデオデータを再生成する必要はない。ＯＳＤデータの表示・非表示の切り替えごとに大容量の原画像データを処理する必要がなく、表示・非表示の切り替えを迅速に、且つ低消費電力で行うことができる。
【００６３】
また、この時、第１の領域２３を選択して背景画像データを格納した後に、第１の領域２３から第２の領域２４へデータを転送することで第２の領域２４にも背景画像データを格納することもできる。この設定により、データ変換手段２０３を早く開放して、次の動作に移行させたり、あるいは休止状態に移行させることができ、処理の高速化、あるいは消費電力の低減を図ることができ好都合である。
【００６４】
また、ＯＳＤデータの表示内容の変更や表示位置の移動のために表示データメモリ２２の内容を書き換える際には、第１の領域２３から第２の領域２４へ、背景画像データを転送することができ、原画像データである背景画像に対してサイズ変換や色変換等のデータ変換を行い、表示用のビデオデータを再生成する必要はない。ＯＳＤデータの表示内容の変更や表示位置の移動ごとに、大容量の原画像データを処理する必要がなく、内容／位置の変更を迅速に、且つ低消費電力で行うことができる。
【００６５】
尚、本発明は前記第１及び第２実施形態に限定されるものではなく、本発明の趣旨を逸脱しない範囲内で種々の改良、変形が可能であることは言うまでもない。
例えば、第１及び第２実施形態においては、背景画像データのみを格納する表示データメモリあるいは表示データメモリ内の第１の領域のほかに、背景画像データにＯＳＤデータを合成した合成画像データを格納する他の表示データメモリあるいは表示データメモリ内の第２の領域を設定したが、これに限定されるものではない。即ち、更に、別の表示データメモリあるいは表示データメモリ内の領域を設定しておき、２種類以上のＯＳＤデータを合成した合成画像データを備えておき、各々の画像データを選択して、各々のＯＳＤデータの表示の切り換えや表示・非表示の切り換えを行うように設定することもできる。
【００６６】
また、データのセレクタは、背景画像データとＯＳＤデータとの２つのデータのうちの何れかのデータを二者択一で適宜に切り替えるように設定される場合を例に説明したが、２種以上の背景画像、及び２種以上のＯＳＤデータを用意しておき、これらの組み合わせを自由に選択できるようにセレクタの切り換えを設定することも可能である。
【００６７】
（付記１）  表示データメモリ上に格納された静止画像データを表示装置に表示するオンスクリーンディスプレイ装置において、
特定情報が合成されていない背景画像データを格納する第１表示データメモリと、
前記背景画像データに特定情報を合成した合成画像データを格納する第２表示データメモリと、
前記第１表示データメモリから出力される背景画像データと、前記第２表示データメモリから出力される合成画像データとを適宜切り替えて前記表示装置に転送する転送手段とを備えることを特徴とするオンスクリーンディスプレイ装置。
（付記２）  前記第２表示データメモリを２つ以上備え、
該第２表示データメモリ毎に、異なる合成画像データを格納しておき、
前記第１表示データメモリから出力される背景画像データと、該第２表示データメモリ毎に出力される２つ以上の合成画像データとのうちから１つのデータを適宜選択して前記表示装置に転送する転送手段とを備えることを特徴とする付記１に記載のオンスクリーンディスプレイ装置。
（付記３）  前記第１表示データメモリから出力される前記背景画像データを、前記第２表示データメモリへの入力データとすることを特徴とする付記１又は２に記載のオンスクリーンディスプレイ装置。
（付記４）  前記第１表示データメモリ、及び前記第２表示データメモリは、同期型半導体記憶装置であることを特徴とする付記３に記載のオンスクリーンディスプレイ装置。
（付記５）  表示データメモリ上に格納された静止画像データを表示装置に表示するオンスクリーンディスプレイ装置において、
前記表示データメモリは、
特定情報が合成されていない背景画像データを格納する第１表示データ領域と、
前記背景画像データに特定情報を合成した合成画像データを格納する第２表示データ領域と、
前記第１表示データ領域から出力される背景画像データと、前記第２表示データ領域から出力される合成画像データとを適宜切り替えて前記表示装置に転送する転送手段とを備えることを特徴とするオンスクリーンディスプレイ装置。
（付記６）  前記第２表示データ領域を２つ以上備え、
該第２表示データ領域毎に、異なる合成画像データを格納しておき、
前記第１表示データ領域から出力される背景画像データと、該第２表示データ領域毎に出力される２つ以上の合成画像データとのうちから１つのデータを適宜選択して前記表示装置に転送する転送手段とを備えることを特徴とする付記５に記載のオンスクリーンディスプレイ装置。
（付記７）  前記第１表示データ領域から出力される前記背景画像データを、前記第２表示データ領域への入力データとすることを特徴とする付記５又は６に記載のオンスクリーンディスプレイ装置。
【００６８】
【発明の効果】
本発明によれば、静止画像上に特定情報を同時に表示するオンスクリーンディスプレイ装置において、静止画像上への特定情報の書き換え、移動、表示・非表示の切り替えを高速、且つ低消費電力で実現することが可能なオンスクリーンディスプレイ装置を提供することが可能となる。
【図面の簡単な説明】
【図１】第１実施形態のオンスクリーンディスプレイ装置を示す機能ブロック図である。
【図２】第１実施形態のオンスクリーンディスプレイ装置を示す回路ブロック図である。
【図３】第１実施形態において、表示データメモリをＳＤＲＡＭで構成した場合の動作タイミングチャート例である。
【図４】第２実施形態のオンスクリーンディスプレイ装置を示す機能ブロック図である。
【図５】第２実施形態のオンスクリーンディスプレイ装置を示す回路ブロック図である。
【図６】第１従来技術のオンスクリーンディスプレイ装置を示す機能ブロック図である。
【図７】第２従来技術のオンスクリーンディスプレイ装置を示す機能ブロック図である。
【符号の説明】
１、２、１００、２００        オンスクリーンディスプレイ装置の機能ブロック図
１０、２０                    オンスクリーンディスプレイ装置の回路ブロック図
１１、２１                    表示データメモリ制御部
１２                          表示データメモリ１
１３                          表示データメモリ２
１４、１５、１６、２７、３３、３６、１０６セレクタ
２２、２０４                  表示データメモリ
２３                          表示データメモリの第１の領域
２４                          表示データメモリの第２の領域
２５                          メモリ領域指定制御部
３１                          領域１の上位アドレス指定部
３２                          領域２の上位アドレス指定部
３４                          下位アドレス生成部
３５                          データラッチ部
【図１】
0004807910.tif 000002
【図２】
0004807910.tif 000003
【図３】
0004807910.tif 000004
【図４】
0004807910.tif 000005
【図５】
0004807910.tif 000006
【図６】
0004807910.tif 000007
【図７】
0004807910.tif 000008